(57)【要約】【課題】小型容器内の流体を効率的に迅速に撹拌することを可能とする撹拌装置及び撹拌方法を提供する。【解決手段】蓋により覆われた容器内の流体を撹拌する撹拌装置は、回転軸線を中心に回転する撹拌子と、回転磁場を発生させる回転磁場発生手段とを備える。撹拌子は、混合体と、回転磁場を受ける磁石又は磁性体を備える台座とを有する。混合体外表面には流体の吸入口及び吐出口を有し、混合体内部には吸入口と吐出口を繋ぐ孔を有し、混合体は複数の混合エレメントを回転軸線方向に積層した積層物により構成する。混合エレメントは、複数の第１の貫通孔を有し、混合体において第１の貫通孔の一部又は全部が、隣接する混合エレメントの第１の貫通孔とその位置をずらせて部分的に重なり且つ隣接する混合エレメントの第１の貫通孔との間で流体を流通可能に連通し、混合エレメントの積層方向と延在方向とに分割するように配置されている。【選択図】図１
2018140375.tif 000002
【特許請求の範囲】
【請求項１】
蓋により覆われた容器内に収容された流体を撹拌するための撹拌装置であって、
回転軸線を中心に回転することにより流体を撹拌する撹拌子と、前記撹拌子を回転させる回転磁場を発生させる回転磁場発生手段とを備え、
前記撹拌子は、流体を撹拌する混合体と、回転磁場を受ける磁石又は磁性体を備える台座とを有し、
前記混合体は、複数の混合エレメントを前記回転軸線方向に積層した積層物により構成し、
前記混合エレメントは、前記混合体内部の孔となる複数の第１の貫通孔を有し、
前記混合体において前記混合エレメントは、前記第１の貫通孔の一部又は全部が、隣接する混合エレメントの第１の貫通孔とその位置をずらせて部分的に重なり合うように配置され、且つ隣接する混合エレメントの第１の貫通孔との間で流体を流通可能に連通し、混合エレメントの積層方向と延在方向とに分割するように配置されている構成とする撹拌装置。
【請求項２】
前記回転磁場発生手段は、蓋上部の外平面に配設され、
前記撹拌子は、前記回転磁場発生手段により回転させられるように蓋上部の内平面に配設されている請求項１に記載の撹拌装置。
【請求項３】
前記混合体における前記混合エレメントは、第１の貫通孔より大きい第２の貫通孔を有し、
前記混合体には、前記第２の貫通孔が積層方向に連通し、流体を混合体内部に流入させるための中空部が形成されている請求項１又は２に記載の撹拌装置。
【請求項４】
前記撹拌子における前記混合体は、固定手段により複数の混合エレメントが分解可能に積層状態に固定されるとともに、前記台座に固定されている請求項１〜３のいずれか１項に記載の撹拌装置。
【請求項５】
前記撹拌子における前記混合体は、一体物により構成されている請求項１〜４のいずれか１項に記載の撹拌装置。
【請求項６】
前記撹拌子を構成する前記混合体及び前記台座は、表面層がフッ素樹脂により形成されている請求項１〜５のいずれか１項に記載の撹拌装置。
【請求項７】
請求項１〜６のいずれか１項に記載された撹拌装置を用いて蓋により覆われた容器内に収容された流体を撹拌する撹拌方法であって、
前記撹拌子を構成する混合体の外表面には、当該混合体内部の孔により繋がっている流体の吸入口及び吐出口を有し、
前記撹拌子を蓋上部の内平面に配設して回転させ、当該撹拌子がその吸入口から容器内の流体を吸い込み、当該撹拌子内部の孔に流体を流通させ、当該撹拌子の吐出口から容器内へ流出させて流体を撹拌する撹拌方法。
【請求項８】
請求項７に記載の撹拌方法による細胞培養方法であって、
前記容器内の流体を細胞培養液とし、
前記撹拌子により細胞培養液を撹拌する細胞培養方法。
【請求項９】
請求項８に記載の細胞培養方法において、
前記細胞培養液又は培養環境の温度を制御しながら細胞培養液を撹拌する細胞培養方法。
【請求項１０】
請求項７に記載の撹拌方法による反応促進方法であって、
前記容器内の流体を反応溶液とし、
前記撹拌子により反応溶液を撹拌して反応を促進する反応促進方法。
【請求項１１】
請求項１０に記載の反応促進方法において、
前記反応溶液又は反応環境の温度を制御しながら反応溶液を撹拌する反応促進方法。
【発明の詳細な説明】
【技術分野】
【０００１】
本発明は、例えば小型の容器内に収容された流体を撹拌する撹拌装置、撹拌方法、細胞培養方法及び反応促進方法に関する。
【背景技術】
【０００２】
ディッシュと呼ばれる小型容器は、底板とその外周に配される側壁から形成される平皿状の容器であって、蓋に覆われて微生物や細胞の培養、または広く試験研究用途に使用されている。培養のためにディッシュ内に収容された流体を撹拌するには、振盪や、マグネチックスターラーと棒状撹拌子を組み合わせたものがある（特許文献１、特許文献２）。
【先行技術文献】
【特許文献】
【０００３】
【特許文献１】特開２００７−１３６４４３号公報
【特許文献２】特開２００６−１５０２２１号公報
【発明の概要】
【発明が解決しようとする課題】
【０００４】
生体内部を模した生理的な震盪は、より細胞の分化・増殖を促すと期待されている。しかし、通常の一方向性・単調な振盪では容器内の流体が溢れ易く、棒状撹拌子ではあまり良く混合されない。また、付着細胞を培養する場合は、棒状撹拌子では容器底部の細胞を撹拌子の回転により傷付けてしまう。
【０００５】
本発明は、前記事情に鑑みてなされたものであり、特に小型容器内の流体を効率的に迅速に撹拌することを可能とする撹拌装置、及び撹拌方法を提供することを目的とする。また、微生物や細胞を効率的に培養することを可能とする細胞培養方法や反応促進方法を提供することを目的とする。
【課題を解決するための手段】
【０００６】
本発明に係る撹拌装置は、
蓋により覆われた容器内に収容された流体を撹拌するための撹拌装置であって、
回転軸線を中心に回転することにより流体を撹拌する撹拌子と、前記撹拌子を回転させる回転磁場を発生させる回転磁場発生手段とを備え、
前記撹拌子は、流体を撹拌する混合体と、回転磁場を受ける磁石又は磁性体を備える台座とを有し、
前記混合体の外表面には、流体の吸入口及び吐出口を有し、
前記混合体の内部には、前記吸入口と前記吐出口を繋ぐ１又は２以上の孔を有し、
前記混合体は、複数の混合エレメントを前記回転軸線方向に積層した積層物により構成し、
前記混合エレメントは、前記混合体内部の孔となる複数の第１の貫通孔を有し、
前記混合体において前記混合エレメントは、前記第１の貫通孔の一部又は全部が、隣接する混合エレメントの第１の貫通孔とその位置をずらせて部分的に重なり合うように配置され、且つ隣接する混合エレメントの第１の貫通孔との間で流体を流通可能に連通し、混合エレメントの積層方向と延在方向とに分割するように配置されている構成とする。
【０００７】
本発明に係る撹拌方法は、
前記撹拌装置を用いて蓋により覆われた容器内に収容された流体を撹拌する撹拌方法であって、
前記撹拌子を構成する混合体の外表面には、当該混合体内部の孔により繋がっている流体の吸入口及び吐出口を有し、
前記撹拌子を蓋上部の内平面に配設して回転させ、当該撹拌子がその吸入口から容器内の流体を吸い込み、当該撹拌子内部の孔に流体を流通させ、当該撹拌子の吐出口から容器内へ流出させて流体を撹拌する方法である。
前記撹拌方法においては、前記容器内の流体を細胞培養液とし、前記撹拌子により細胞培養液を撹拌する細胞培養方法や、前記容器内の流体を反応溶液とし、前記撹拌子により反応溶液を撹拌して反応を促進する反応促進方法とすることができる。
【発明の効果】
【０００８】
本発明によれば、撹拌子の回転により容器内の流体の流れが乱されるので、容器内の流体を効率的に混合することができる。また、混合体内部において流体が分割されるので、流体を高度に混合し、容器内部の流体を効率的に混合することができる。また、生理的に類似の撹拌を起こさせることで、生体を再現し、目的とする反応を引き出すことができる。
【図面の簡単な説明】
【０００９】
【図１】実施形態による攪拌装置を示す断面図である。
【図２】撹拌子を示す斜視図（図２（ａ））及び側面図（図２（ｂ））である。
【図３】台座を示す斜視図（図３（ａ））及び側面図（図３（ｂ））であり、同図（ｃ）は支持突起の変形例を示す側面図である。
【図４】混合体を構成する混合エレメントを示す平面図である。
【図５】混合体内部の流体の流動状態を示す模式図であり、同図（ａ）は半径方向の流動を示す平面模式図、同図（ｂ）は積層方向の流動を示す断面模式図である。
【図６】３Ｄプリンターで作製した一体物の撹拌子を示す写真である。
【発明を実施するための最良の形態】
【００１０】
以下、本発明の実態形態について添付図面を参照して説明する。
本発明の実施形態として、図１に示す撹拌装置を用いた撹拌方法は、ディッシュと呼ばれる平皿状の容器６内に微生物や細胞等の培養液からなる流体Ａを収容して蓋６１により覆い、この培養液（流体Ａ）を撹拌する細胞培養方法等に適用したり、また、容器６内に反応促進液からなる流体Ａを収容して蓋６１により覆い、この反応促進液（流体Ａ）を撹拌して反応を促進する反応促進方法に適用することができる。この場合、細胞培養方法では、温度制御装置（図示せず）により培養液又は培養環境の温度を制御しながら撹拌することができ、また、反応促進方法では、温度制御装置（図示せず）により反応液又は反応環境の温度を制御しながら撹拌することができる。なお、本発明は、これらに限られるものではなく、各種の撹拌方法に適用することができる。
なお、本明細書において記載する方向として、「積層方向」とは、撹拌子１（混合体２、台座３を含む。）の回転軸方向や上下方向等と同義であり、「延在方向」とは、積層方向と直交する方向、混合エレメント２１の半径方向や周方向等と同義である。
【００１１】
図１に示す撹拌装置は、流体Ａを撹拌するための撹拌子１と、撹拌子１を回転させるための回転磁場を発生させるマグネチックスターラー（回転磁場発生手段）４とを備えている。マグネチックスターラー４は、交流電源その他により駆動させられる。
【００１２】
容器６を覆う蓋６１の外平面６１ａにはマグネチックスターラー４が載置され、マグネチックスターラー４内のモータに取り付けられた磁石（図示せず）により吸引された撹拌子１は、蓋６１の内平面６１ｂに接するように配置されている。この撹拌子１は、マグネチックスターラー４からの回転磁場を受けて回転させられ、容器６内に収容する試料等の流体Ａを撹拌するものである。撹拌子１は、図２（ａ）（ｂ）も参照して、回転軸線Ｓを中心に回転することにより流体Ａを撹拌する混合体２と、混合体２を支持するとともに回転磁場を受ける撹拌用磁石５ａ，５ｂを内蔵する台座３とを備えている。なお、台座３は、撹拌用磁石５ａ，５ｂに代わる磁性体を備えていてもよい。撹拌子１の上下位置関係は、混合体２を上とし、台座３を下として、以下に説明するが、図１の使用態様では、撹拌子１は、図２に示した撹拌子１の状態とは上下位置が逆に配置され、図１の撹拌子１においては、蓋６１側を下部、容器６側を上部として図２と対応する。
【００１３】
台座３は、図３（ａ）（ｂ）に示すように、横置きにされる角柱状の棒状体３１を備えている。棒状体３１の上面両端部には、それぞれ、混合体２を取り付け固定するためのネジ筒部３３が設けられている。また、棒状体３１の両端部には、それぞれ、マグネチックスターラー４からの回転磁場を受ける撹拌用磁石５ａ，５ｂが収容されている。各撹拌用磁石５ａ，５ｂは、着磁方向が棒状体３１の長手方向と直交する方向になるように配置され、且つ各撹拌用磁石５ａ，５ｂの磁極の位置が互いに逆位置となるように配置されている。すなわち、棒状体３１の横置き状態では、例えば、一方の撹拌用磁石５ａのＮ極が下面側に配置されている場合には、他方の撹拌用磁石５ｂの下面側にＳ極が配置される。撹拌用磁石５ａ，５ｂとしては、円柱型、リング型、または角型磁石を使用することができる。
【００１４】
また、棒状体３１には、撹拌子１の回転を安定させるために円環部３２が設けられている。円環部３２は、棒状体３１の下面と面一となるように棒状体３１の両端部に連設されている。棒状体３１の下面の中央部には、蓋６１上部の内平面６１ｂと接触する円弧状の支持突起３４が突設されている。これにより、撹拌子１は、支持突起３４が回転中心となるため、回転時にほとんど移動せずに撹拌子１が支持される。そのため、撹拌子１と蓋６１上部の内平面６１ｂとの摩擦抵抗が非常に小さくなり、撹拌子１をスムーズに回転させることができる。
【００１５】
円環部３２の下面（棒状体３１の連設部分も含む。）には、支持突起３４の突出高さ以下で、円弧状の安定化突起を等間隔に２以上設けるようにしてもよい。この場合、回転時に支持突起３４で支持されている撹拌子１の姿勢が斜めに傾いても、安定化突起が蓋６１上部の内平面６１ｂに接触して安定した姿勢に保つことができる。また、図３（ｃ）に示すように、支持突起３４が棒状体３１の下面全体にわたって形成されていてもよい。
【００１６】
混合体２は、図２（ａ）（ｂ）に示すように、円板から構成される混合エレメント２１を複数枚（ここでは４枚）積層した積層物により構成されており、積層した混合エレメント２１を外周部の１８０度位置の２ヶ所でボルト１１（固定手段）により台座３のネジ筒部３３にそれぞれ締め付けて台座３に固定される。これにより、積層した複数の混合エレメント２１が分解可能に一体化された混合体２を容易に構成するとともに台座３に固定される。また、複数の混合エレメント２１が個々に分解可能に構成されることにより、各混合エレメント２１に分解して混合エレメント２１（後述の第１の貫通孔２２、第２の貫通孔２３等）に残存した残留物や異物の除去のような洗浄作業を容易に行うことができる。なお、複数の混合エレメント２１を一体化する構造や混合体２の台座３への取付け構造としては、ボルト１１による固定に限らず、凹凸の嵌め合い構造等のような分解可能な取付け方としてもよい。
【００１７】
混合体２は、図４に示すように、２種類の混合エレメント２１ａ，２１ｂを交互に積層して構成されており、これら２種類の混合エレメント２１ａ，２１ｂは、それぞれ、厚さ方向に貫通する第１の貫通孔２２を複数有している。複数の第１の貫通孔２２は、略円板形状の混合エレメント２１ａ，２１ｂの延在方向に延びる延在面に沿って設けられている。混合エレメント２１ａ，２１ｂの中央部には、第１の貫通孔２２よりも開口面積が大きい第２の貫通孔２３を有している。第２の貫通孔２３は、略円形状に形成されており、混合エレメント２１ａ，２１ｂが積層されることにより、混合体２には、各第２の貫通孔２３が連通した円筒状の中空部２４が形成される。この中空部２４の上部開口が流体Ａの吸入口２０αを構成する。中空部２４の中心軸線は、撹拌子１の回転軸線Ｓと一致する。従って、吸入口２０αは、回転軸線Ｓ上の位置に配置されている。なお、混合エレメント２１ａ，２１ｂは、図２に示すものと周方向及び半径方向の仕切壁の数が異なってもよい。
【００１８】
また、第１の貫通孔２２は、平面視略矩形状に形成されており、第２の貫通孔２３の中心点を中心として同心円状に配設されている。第１の貫通孔２２は、千鳥状に配置され、２種類の混合エレメント２１ａ，２１ｂでは、第１の貫通孔２２の配列パターン自体を異ならせている。一方の混合エレメント２１ａは、第１の貫通孔２２が第２の貫通孔２３の内周面では閉じられ、外周面では開放されているが、他方の混合エレメント２１ｂは、第１の貫通孔２２が第２の貫通孔２３の内周面では開放され、外周面では閉じられている。混合エレメント２１ａの外周面に開放された第１の貫通孔２２の各々が流体Ａの吐出口２０βを構成する。従って、吐出口２０βは、中空部２４の上端開口である吸入口２０αよりも回転軸線Ｓより外側の位置（例えば、回転軸線Ｓに直交する半径方向外側の位置）に配置されている。
【００１９】
第１の貫通孔２２の大きさは、混合エレメント２１ａ，２１ｂの同一円周方向では同じ大きさに形成され、混合エレメント２１ａ，２１ｂの半径方向外側に向かうに従い大きくなるように形成することができる。また、２種類の混合エレメント２１ａ，２１ｂの重なり状態では、第１の貫通孔２２が相互に重なり合った部分の面積は、円周方向において均等となっているが、非均等に形成することもできる。
【００２０】
そして、混合体２において隣接する混合エレメント２１ａ，２１ｂの各々の第１の貫通孔２２は、半径方向及び円周方向に部分的にずれて重なり合うように配置され、混合エレメント２１ａ，２１ｂの積層方向及び延在方向に連通されている。換言すれば、混合エレメント２１ａ，２１ｂの半径方向と円周方向とのそれぞれに延びる第１の貫通孔２２間の仕切壁が、隣接する混合エレメント２１ａ，２１ｂ相互間において位置を違えて配置されている。従って、混合体２内部は、流体Ａを隣接する混合エレメント２１ａ，２１ｂの第１の貫通孔２２間に順次通り抜けさせて、混合エレメント２１ａ，２１ｂの積層方向及び延在方向のそれぞれにおいて分割するように構成されている。このように、混合体２内部の複数の第１の貫通孔２２は、吸入口２０αとなる中空部２４の上部開口と吐出口２０βとなる混合エレメント２１ａの外周面に開放する第１の貫通孔２２との間を繋ぐための複数の流路を構成している。
【００２１】
混合体２を構成する混合エレメント２１ａ，２１ｂや台座３は、ポリエチレン、ポリプロピレン、フッ素系樹脂等の樹脂から作製されたものであるが、セラミック、金属等で作製されたものでもよい。混合エレメント２１ａ，２１ｂや台座３を樹脂製とすることにより、樹脂成形により混合エレメント２１ａ，２１ｂや台座３を容易に且つ安価に製造することができる。また、混合エレメント２１ａ，２１ｂや台座３がフッ素系樹脂以外の樹脂で作製されている場合は、コーティング等により表面層をフッ素系樹脂により形成してもよい。この場合、耐薬品性が向上する。
【００２２】
一方、マグネチックスターラー４の内部には、２個の駆動用磁石を備えたモータが配設されている（図示せず。）。２個の駆動用磁石は、撹拌子１の台座３の撹拌用磁石５ａ，５ｂの着磁方向と同方向であって、かつ、各々の磁極（Ｎ極、Ｓ極）が互いに逆になるように配置されている。そして、モータの回転駆動により、２個の駆動用磁石が回転して回転磁場を発生させる。
【００２３】
次に、以上の構成の撹拌子１を用いた流体Ａの撹拌方法を説明する。図１のように、流体Ａが収容された容器６を覆う蓋６１上部の外平面６１ａ上にマグネチックスターラー４を載置して、蓋６１上部の内平面６１ｂに台座３側が接するように撹拌子１を配置させる。このとき、撹拌子１に収容された撹拌用磁石５ａ，５ｂがマグネチックスターラー４内部の駆動用磁石により吸着されるので、混合体２が容器６の底部に接することなく、撹拌子１が容器６内に浮いた状態となる。そして、マグネチックスターラー４のモータを駆動させ、モータに取り付けられた駆動用磁石を回転させる。そうすると、マグネチックスターラー４内部の回転する駆動用磁石から発生する回転磁場に、撹拌子１の台座３の撹拌用磁石５ａ，５ｂが吸引され、蓋６１上部の内平面６１ｂに接する撹拌子１が回転させられる。
【００２４】
この撹拌子１の回転により、混合体２内部に保持されている流体Ａは遠心力を受けて混合体２外周部方向へ流通し、混合体２の外周面に開く混合エレメント２１ａの第１の貫通孔２２から混合体２外部へ流出する。一方、容器６内の流体Ａは、混合体２が配置される容器６上部に向かって、混合体２の吸入口２０αから中空部２４内に流入する。中空部２４内に流入した流体Ａは撹拌子１の回転による遠心力を受け、中空部２４の内周面に開く混合エレメント２１ｂの第１の貫通孔２２から混合体２内部に流入する。そして流体Ａは、流入場所の第１の貫通孔２２から当該第１の貫通孔２２に連通する他の第１の貫通孔２２を通り抜け、さらに、他の第１の貫通孔２２に連通する第１の貫通孔２２を通り抜けるというように混合体２内部を流通し、混合体２外周部の流出口２０βから流出する。混合体２の流出口２０βから流出した流体Ａは、容器６内を循環して再び混合体２の吸入口２０αから混合体２内部に取り込まれる。このようにして、流体Ａが撹拌される。
【００２５】
この場合、混合体２内部を流通する流体Ａは、図５（ａ）に示すように、混合エレメント２１ａ，２１ｂの複数の第１の貫通孔２２を通り抜けて内周部から外周部に向かって略放射状に流通し、この際、流体Ａは、混合エレメント２１ａ，２１ｂの延在方向に分割され、合流する。
【００２６】
また、混合体２は、混合エレメント２１ａ，２１ｂを積層方向に複数備えるので、積層方向に連通する各第１の貫通孔２２により流体Ａを混合エレメント２１ａ，２１ｂの積層方向にも流通させる複数の流路が形成されている。従って、混合体２内部の流体Ａは、第１の貫通孔２２を通り抜ける際に、図５（ｂ）に示すように、混合エレメント２１ａ，２１ｂの積層方向にも流通し、この際、流体Ａは、混合エレメント２１ａ，２１ｂの積層方向にも分割され、合流し、混合される。
【００２７】
なお、混合体２は、混合エレメント２１ａ，２１ｂを積層方向に１枚ずつ備えていてもよい。混合エレメント２１ａ，２１ｂが１枚ずつ積層されていても、容器６内の流体Ａは、混合体２の吸入口２０αから中空部２４内に流入し、撹拌子１の回転による遠心力を受け、中空部２４から混合体２内部に流入し、連通する第１の貫通孔２２を通り抜けて混合体２外周部の流出口２０βから流出する。このようにしても、流体Ａは、混合エレメント２１ａ，２１ｂの延在方向に分割され、合流して混合されるからである。
【００２８】
こうして、混合体２内部における流体Ａの流動は、混合エレメント２１ａ，２１ｂの延在方向への平面的すなわち二次元的な分割と合流だけではなく、混合エレメント２１ａ，２１ｂの積層方向にも広がりをもった三次元的に分割と合流が行われる。このような三次元的な流動により、流体Ａは、分割、合流、乱流等を繰り返して混合される。混合エレメント２１ａ，２１ｂを１枚ずつ積層した場合には、平面的・二次元的な分割と合流が行われるが、この場合でも、流体Ａは、分割、合流、乱流等を繰り返して混合される。また、流体Ａは、混合体２内部で分割されるだけでもよい。この場合でも、混合体２から流出した流体Ａは容器６内部で合流して、混合されるからである。
【００２９】
ところで、従来のような、棒状やクロス状等の回転体からなる撹拌子では、撹拌子周辺部にはきわめて高いずり応力が発生し、ディッシュ（平皿状の容器６）により細胞等を培養する場合に細胞が損傷される。一方、容器６内の中央部は一様で比較的遅い流れとなり、十分な撹拌が得られないことが多い。
【００３０】
これに対して、本実施形態の撹拌子１では、混合体２中央部において回転軸線Ｓ方向に貫通する中空部２４を備えている。そのため、容器６内の中央部の流体Ａは、混合体２の吸入口２０αから中空部２４内に吸い込まれ、混合体２内部で高度に撹拌されることにより迅速に混合される。
【００３１】
この混合体２の中空部２４は、第１の貫通孔２２より開口面積の大きい第２の貫通孔２３が積層して形成され、第１の貫通孔２２に対して十分大きく開口している。それゆえ、中空部２４への流体Ａの流入抵抗は、吸入口２０αに隣接する第１の貫通孔２２に比べて小さい。また、混合体２の中空部２４は、撹拌子１の回転中心部に位置するので、撹拌子１の回転により、この中空部２４と対向する容器６内の流体Ａを滞らせることなく吸入口２０αを経て中空部２４内に吸い込ませることができる。そして、中空部２４内に吸い込まれた流体Ａは、混合体２の回転による遠心力を受け、各第１の貫通孔２２を通過することで、上述したように、混合エレメント２１ａ，２１ｂの積層方向及び延在方向へそれぞれ分割と合流を繰り返して高度に混合されて、混合体２外部へ流出する。
【００３２】
以上より、このような混合体２を備える撹拌子１によれば、回転中心にある容器６内部の流体Ａを迅速に撹拌し、流体Ａ全体を効率よく撹拌することができ、その結果、容器６内の流体Ａ全体を均一に撹拌するまでの時間を短くすることができる。また、撹拌子１が容器６底部に接触しないので、容器６底部に付着した細胞が損傷されることがない。さらに、倒立顕微鏡を用いれば、容器６下部から撹拌子１の動作中の撮影をすることも可能である。
【００３３】
なお、本発明は、以上の実施形態に限定されず、本発明の要旨の範囲内で様々な変更を施すことが可能であり、例えば、以下のように変形することが可能である。
【００３４】
混合体２は、複数の混合エレメント２１を分解可能に積層した積層物ではなく、上述した第１の貫通孔２２及び中空部２４を設けた一体物により構成することができる。このような一体物の混合体２は、例えば、３Ｄプリンター装置により容易に作製することができる。また、他の混合体２として、第１の貫通孔２２となる連続気孔を有する多孔質の一体物に、上述した中空部２４を設けたものでもよい。撹拌子１は、台座３も混合体２とともに一体物として構成することができる。因みに、図６に示した撹拌子１は、３Ｄプリンター装置により製作したアクリル系ＵＶ硬化樹脂製の撹拌子１であり、その台座３部分には撹拌用磁石５ａ，５ｂを埋め込んで接着したものである。
【００３５】
また、マグネチックスターラー４の上に容器６を載置し、容器６内底部に撹拌子１を配置しても良い。このようにしても、容器６内の流体Ａは撹拌子１により混合されるからである。また、浮遊細胞の培養であれば、撹拌子１を容器６内部の底部で回転させても、細胞を傷付け難いからである。
【００３６】
以上の他の形態の混合体及び撹拌装置によっても、上述の実施形態と同様に、回転中心にある容器６内部の流体Ａをも迅速に撹拌し、流体Ａ全体を効率よく撹拌することができ、その結果、容器６内の流体Ａ全体を均一に撹拌するまでの時間を短くすることができる。
【符号の説明】
【００３７】
１  撹拌子
２  混合体
３  台座
４  マグネチックスターラー
６  容器
【図１】
2018140375.tif 000003
【図２】
2018140375.tif 000004
【図３】
2018140375.tif 000005
【図４】
2018140375.tif 000006
【図５】
2018140375.tif 000007
【図６】
2018140375.tif 000008